(57)【要約】【課題】    製造コストが安く、しかも流量が効果的に調整できる流量調整弁を提供する。【解決手段】  水栓金具先端と水を吐出する吐出金具との間にパッキンを介して接合され水密性を確保して取付けられる流量調整弁であり、前記流量調整弁は、内部底面の中心を基準に同一円周上に大きさの違う通水孔が複数形成され、かつ当該中心を基準に対称の位置に同じ大きさの通水孔が形成されている流量調整弁本体と、前記内部底面の上面に重ね合わせる調整板から成り、前記調整板は、当該通水孔が位置する円周と同一の円周上に中心を基準に対称に調整孔が形成されており、前記調整板の回動操作により調整孔と整合する通水孔のみ通水され、他の通水孔は調整板により止水されて流量調整されると同時に位置決めが可能となる構造を有することを特徴とする流量調整弁。【選択図】  図４
2014055493.tif 000002
【特許請求の範囲】
【請求項１】
水栓金具先端と水を吐出する吐出金具との間にパッキンを介して接合され水密性を確保して取付けられる流量調整弁であり、前記流量調整弁は、内部底面の中心を基準に同一円周上に大きさの違う通水孔が複数形成され、かつ当該中心を基準に対称の位置に同じ大きさの通水孔が形成され、同じ大きさの通水孔の一方の円周外部に上向きに位置決め凹部が形成されている流量調整弁本体と、前記内部底面の上面に重ね合わせる調整板から成り、  前記調整板は、当該通水孔が位置する円周と同一の円周上に中心を基準に対称に調整孔が形成され、当該調整孔の一方の円周外部に当該通水孔の位置決め凹部に嵌合する下向きの位置決め凸部が形成されており、前記調整板の回動操作により調整孔と整合する通水孔のみ通水され、他の通水孔は調整板により止水されて流量調整されると同時に位置決めが可能となる構造を有することを特徴とする流量調整弁。
【請求項２】
調整板の調整孔上面に水栓金具からの水が調整孔へ流入し易いように回動操作時の持ち手を兼用した突起が形成され、調整孔より小径の通水孔の上面に、調整孔と同径の大径を上に錐部が形成されていることを特徴とする請求項１に記載の流量調整弁。
【発明の詳細な説明】
【技術分野】
【０００１】
本発明は、水栓金具先端と水を吐出する吐出金具との間に取付け、流量を調整して節水を可能にする流量調整弁に関する。
【背景技術】
【０００２】
従来、給水路の継ぎ目に挟み付け保持されて給水路を前後に仕切る板部材と、この板部材の一面側に相対回転できるように螺子で止められて給水路中に位置する本体ブロックとを備え、これら板部材と本体ブロックとは枢支部を中心とした相対回動によって互いの通じ合う穴数が変化するように円周方向に配した複数の節水穴を有する節水具が知られている（特許文献１）。
【０００３】
また、水栓の口端に接合される接合金具と水を吐出する吐出金具との間に形成される通水室に、制水駒を内在させて流量を調節し、前記通水室の下端に網状の流速緩和体を設けて成る流量制御弁において、前記制水駒は、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とから成り、該制水駒が前記接合金具に内嵌するブッシュを介して前記通水室に内設されて成る流量制御弁が知られている（特許文献２）。
【０００４】
さらに、１又は複数の通水孔を設けた水流調整部と、円筒部に対して相対的に変位可能な流量調整部とを具備し、流量調整部の相対的変位に伴う該流量調整部と水流調整部の通水孔との相対的位置関係の変化に基づいて、流量調整部と水流調整部の通水孔との間に形成される流路の大きさが変化する、１つの節水具で複数の吐水流量に対応し、かつ誰でもが簡単に吐水流量の調整を行うことのできる節水具及び節水装置が知られている（特許文献３）。
【先行技術文献】
【特許文献】
【０００５】
【特許文献１】特許第３６７３５６３号公報
【特許文献２】特許第４１００６９３号公報
【特許文献３】特許第４２３７０２５号公報
【発明の概要】
【発明が解決しようとする課題】
【０００６】
水栓金具の先端に取付けて流量調整できる節水金具は種々知られており、多種多様な形で使われているが、構造が複雑であり、製造コストが高額になる。節水金具として、節水機能が優れており、製造コストの安いものが求められている。
本発明の目的は、製造コストが安く、流量調整に優れる流量調整弁を提供することにある。
【課題を解決するための手段】
【０００７】
本発明は、水栓金具先端と水を吐出する吐出金具との間にパッキンを介して接合され水密性を確保して取付けられる流量調整弁であり、前記流量調整弁は、内部底面の中心を基準に同一円周上に大きさの違う通水孔が複数形成され、かつ当該中心を基準に対称の位置に同じ大きさの通水孔が形成され、同じ大きさの通水孔の一方の円周外部に上向きに位置決め凹部が形成されている流量調整弁本体と、前記内部底面の上面に重ね合わせる調整板から成り、前記調整板は、当該通水孔が位置する円周と同一の円周上に中心を基準に対称に調整孔が形成され、当該調整孔の一方の円周外部に当該通水孔の位置決め凹部に嵌合する下向きの位置決め凸部が形成されており、前記調整板の回動操作により調整孔と整合する通水孔のみ通水され、他の通水孔は調整板により止水されて流量調整されると同時に位置決めが可能となる構造を有することを特徴とする流量調整弁に関する。
【０００８】
また、本発明は、調整板の調整孔上面に水栓金具からの水が調整孔へ流入し易いように回動操作時の持ち手を兼用した突起が形成され、調整孔より小径の通水孔の上面に、調整孔と同径の大径を上に錐部が形成されている上記の流量調整弁に関する。
【発明の効果】
【０００９】
本発明によれば、製造コストが安く、しかも流量が効果的に調整できる流量調整弁が提供される。
【図面の簡単な説明】
【００１０】
【図１】本発明に係る流量調整弁の構成部品の分解図とＡ−Ａ断面図
【図２】調整板の平面図
【図３】流量調整弁本体の平面図
【図４】本発明に係る流量調整弁の使用状態を示すアッセンブリ断面図と流水経路図
【図５】接続金具の構成部品の分解図と断面図
【図６】接続金具と本発明に係る流量調整弁のアッセンブリ断面図
【発明を実施するための形態】
【００１１】
本発明を図１〜４によって説明する。
図１に示すように、本発明に係る流量調整弁６は、流量調整弁本体３の内部底面の上面（通水孔上面３ｂ）に調整板２が重ね合わさった構造を有しており、それが一体となって水栓金具１の先端１ａと水を吐出する吐出金具４の間にパッキン５及び５ａを介して接合されて水密性を確保して取付けられている。水栓金具１の先端１ａには雄螺子が外設されており、流量調整弁本体３は上端内側に雌螺子３ａが内設され、両者が螺合されるようになっている。流量調整弁本体３の内部底面の中心を基準に同一円周上に大きさの違う通水孔３ｃ、３ｄ、３ｅ、３ｆが複数形成され、かつ当該中心を基準に対称の位置に同じ大きさの通水孔３ｃ、３ｄ、３ｅ、３ｆが複数形成されており、同じ大きさの通水孔の一方の円周外部に上向きに位置決め凹部３ｈが形成されている。通水孔上面３ｂには通水孔と整合する調整孔２ａを形成した回動可能な調整板２が図４に示すように重ね合わされ、例えば、図２に示すように一対の調整孔２ａは、通水孔が位置する円周と同一の円周上に中心を基準に対称に形成されている。流量調整弁本体３の下端には雄螺子３ｇが外設され、吐出金具４の上端内側に雌螺子４ａが内設され、両者が螺合されるようになっている。
【００１２】
図１及び図４に示すように、流量調整弁本体３を水栓金具先端１ａに螺合することにより、調整板２はパッキン５を介して水栓金具先端１ａと流量調整弁本体３の通水孔上面３ｂとの間で圧着されて水密性を確保できる。
【００１３】
流量調整弁６に内在する調整板２は、図２に示すとおり、通水孔と整合するように当該通水孔が位置する円周と同一の円周上に中心を基準に対称の位置に、通水孔の最も大きい径と同径の調整孔２ａが一対形成されている。その調整孔２ａの一方は、図１に示すとおり、下向きで円筒状の突起部２ｂの中心にあり、流量調整弁本体の通水孔と整合している。その調整孔２ａの上面には水栓金具からの水が流入し易いように、図１及び図２に示すとおり、大径を上に錘部２ｃが形成されているのが好ましい。調整板２の回動操作により調整孔と整合する通水孔のみ通水され、それ以外の複数ある通水孔は調整板２によって止水されて流量調整されると同時に位置決めが可能となる。また調整板上面には調整孔２aへのスムースな通水を得るためと回動操作時の持ち手を兼用した円錘形の突起２ｄが形成されているのが好ましい。
【００１４】
流量調整弁本体３の内部底面に形成される大きさの違う通水孔は、内部底面の中心を基準に対称の円周上に、例えば３ｃ、３ｄ、３ｅ、３ｆと位置している。その対称にある通水孔の一方に調整板２の突起２ｂを受ける位置決め凹部３ｈがあり、その凹部３ｈの中心に大きさの違う通水孔が例えば３ｃ、３ｄ、３ｅ、３ｆと形成されている。通水孔上面には、調整孔より小径の通水孔と整合されたときにできる異径段差による通水衝撃をなくすために、調整孔と同径の大径を上にした錘部３ｉが形成されているのが好ましい。
【００１５】
図４は、使用状態を示すアッセンブリ断面図と流水経路図であり、流量調整弁６を水栓金具１の先端と吐出金具４との間に接合し、入水１ｂから吐出水４ｂまでの流水経路を表している。水栓金具１の先端から入水し、調整板２の円錐形突起で調整孔へ誘導され、流量調整された通水孔を通過し、吐出金具４の中心部へと流れ、吐出金具から吐出水４ｂが吐出される。
【００１６】
図１及び図４は、本発明に係る流量調整弁６と先端に雄螺子が外設された水栓金具１との接合状態を示しているが、一般的に多く使用されている水栓金具には先端に雄螺子が外設されていない。図５及び図６は、本発明に係る流量調整弁６と先端に雄螺子が外設されていない先丸水栓金具７とを接続金具１１を介して接合させた状態を示している。
【００１７】
図５は、接続金具１１の構成部品の分解図と断面図である。図６に示すように、接続金具１１をパッキン８を介して先丸水栓金具７の先端に挿入し、複数の止螺子１０で締め付けることにより、先丸水栓金具７と接続金具１１の接合は水密性が確保される。接続金具１１の下端には雄螺子１１ａが外設されており、流量調整弁本体３の上端内側には雌螺子３ａが内設されているので、両者が螺合されることにより、接続金具１１と流量調整弁６とが水密性が確保された状態で接合される。なお、先丸水栓金具７と接続金具１１が接合した際に、接続金具１１の先端内側部分において先丸水栓金具７との隙間が生じるので、例えば、当該隙間にスペーサーゴム９を詰めるようにするのが好ましい。
【符号の説明】
【００１８】
１      水栓金具
１ａ    水栓金具の先端
１ｂ    入水
２      調整板
２ａ    調整孔
２ｂ    突起部(位置決め)
２ｃ    錘部
２ｄ    突起
３      流量調整弁本体
３ａ    雌螺子
３ｂ    通水孔上面
３ｃ    通水孔(最小径)
３ｄ    通水孔
３ｅ    通水孔
３ｆ    通水孔(最大径)
３ｇ    雄螺子
３ｈ    凹部(位置決め)
３ｉ    錘部
４      吐出金具
４ａ    雌螺子
４ｂ    吐出水
５      パッキン
５ａ    パッキン
６      流量調整弁
７      先丸水栓金具〈螺子なし〉
８      パッキン
９      スペーサーゴム
10      止螺子
11      接続金具
11ａ    雄螺子
【図１】
2014055493.tif 000003
【図２】
2014055493.tif 000004
【図３】
2014055493.tif 000005
【図４】
2014055493.tif 000006
【図５】
2014055493.tif 000007
【図６】
2014055493.tif 000008